(57)【要約】【課題】寸法ばらつきがあったとしても、動作不良を低減することができる熱交換換気扇を提供する。【解決手段】排気出口３７と、給気入口３９とが形成された後ケーシング１８と、後ケーシング１８に設けられ、排気出口３７と、給気入口３９の一部との開閉を調整する第１のシャッター８１と、後ケーシング１８に設けられ、第１のシャッター８１と連動し、給気入口３９の一部の開閉を調整する第２のシャッター８３と、後ケーシング１８に設けられ、第１のシャッター８１及び第２のシャッター８３のそれぞれの可動方向に沿って形成された引掛形状部材１０１と、を備え、引掛形状部材１０１は、第１のシャッター８１及び第２のシャッター８３の少なくとも一方を支持し、第１のシャッター８１が動かされた場合、第１のシャッター８１及び第２のシャッター８３の少なくとも一方の移動をガイドするものである。【選択図】図１１
2014149108.tif 000002
【特許請求の範囲】
【請求項１】
室内から取り込んだ空気を排気する排気出口と、室外から取り込んだ空気を給気する給気入口とが形成された後ケーシングと、
前記後ケーシングに設けられ、前記排気出口と、前記給気入口の一部との開閉を調整する第１のシャッターと、
前記後ケーシングに設けられ、前記第１のシャッターと連動し、前記給気入口の一部の開閉を調整する第２のシャッターと、
前記後ケーシングに設けられ、前記第１のシャッター及び前記第２のシャッターのそれぞれの可動方向に沿って形成された引掛形状部材と、
を備え、
前記引掛形状部材は、
前記第１のシャッター及び前記第２のシャッターの少なくとも一方を支持し、
前記第１のシャッターが動かされた場合、該第１のシャッター及び該第２のシャッターの少なくとも一方の移動をガイドする
ことを特徴とする熱交換換気扇。
【請求項２】
前記引掛形状部材と、前記後ケーシングとは一体形成された
ことを特徴とする請求項１に記載の熱交換換気扇。
【請求項３】
前記引掛形状部材のうち、前記第１のシャッターと、前記第２のシャッターとが互いに対向する状態を保持する第１引掛形状部材を備え、
前記第１引掛形状部材は、
前記第２のシャッターを支持する第１部材と、
前記第１のシャッターを支持する第２部材と、
を備え、
前記第１部材と、前記後ケーシングとで前記第２のシャッターの第１可動空間が形成され、
前記第２部材と、前記第１部材と、前記第２のシャッターと、前記後ケーシングとで前記第１のシャッターの第２可動空間が形成され、
前記第２のシャッターは、前記第１可動空間に設けられ、
前記第１のシャッターは、前記第２可動空間のうち、前記第２部材と、前記第２のシャッターとの間に設けられた
ことを特徴とする請求項１又は請求項２に記載の熱交換換気扇。
【請求項４】
前記引掛形状部材のうち、前記第１のシャッターを支持し、該第１のシャッターが動かされた場合、該第１のシャッターの移動をガイドする第２引掛形状部材を備え、
前記第１のシャッターは、前記第２引掛形状部材と、前記後ケーシングとで形成される空間を通過する前記第１のシャッターの端部側に第１突起を備え、
前記第２引掛形状部材は、第２突起を備え、
前記第１のシャッター及び前記第２のシャッターの少なくとも一方を用いることで、前記排気出口又は前記給気入口が開放された場合、第１突起の一部と、第２突起の一部とが互いに接した状態となる
ことを特徴とする請求項３に記載の熱交換換気扇。
【請求項５】
前記引掛形状部材のうち、前記第１のシャッターと、前記後ケーシングとで予め定めた間隔を保持する第３引掛形状部材を備え、
前記第３引掛形状部材は、
前記第１のシャッターと接する箇所が形成される弾性爪を備えた
ことを特徴とする請求項４に記載の熱交換換気扇。
【請求項６】
前記弾性爪は、
弾性体で形成され、前記第１のシャッターが動かされている間、前記第１のシャッターとの間のクリアランスが保持される位置に設けられている
ことを特徴とする請求項５に記載の熱交換換気扇。
【請求項７】
前記後ケーシングは、
前記給気入口が前記第１のシャッター及び前記第２のシャッターで閉じられる場合、前記第２のシャッターの移動を止めるストッパー用突起を備えた
ことを特徴とする請求項１〜６の何れか一項に記載の熱交換換気扇。
【発明の詳細な説明】
【技術分野】
【０００１】
本発明は、熱交換換気扇に関する。
【背景技術】
【０００２】
従来の熱交換換気扇のうち、シャッター押さえ板を用いることで、小シャッター及びシャッターを後ケーシングに押さえ込んで組み立てられているものがあった（例えば、特許文献１参照）。
【０００３】
また、従来の熱交換換気扇のうち、第１のシャッター及び第２のシャッターを用いることで、室外吐出口及び室外吸込口の開閉を制御しているものがあった（例えば、特許文献２参照）。
【先行技術文献】
【特許文献】
【０００４】
【特許文献１】特開平９−２７３７９３号公報（段落［００１３］）
【特許文献２】特開２００２−３２３２４８号公報（段落［００１７］）
【発明の概要】
【発明が解決しようとする課題】
【０００５】
しかしながら、従来の熱交換換気扇（特許文献１及び特許文献２）は、各部品を用いて組み立てられたとき、集積公差に起因した寸法ばらつきが大きくなることがあったため、部品同士のがたつきが大きくなるという問題点があった。
【０００６】
本発明は、上記のような問題点を解決するためになされたもので、各部品を用いて組み立てられたとき、集積公差に起因した寸法ばらつきが大きくなったとしても、部品同士のがたつきを小さくすることができる熱交換換気扇を提供することを目的とするものである。
【課題を解決するための手段】
【０００７】
本発明に係る熱交換換気扇は、室内から取り込んだ空気を排気する排気出口と、室外から取り込んだ空気を給気する給気入口とが形成された後ケーシングと、前記後ケーシングに設けられ、前記排気出口と、前記給気入口の一部との開閉を調整する第１のシャッターと、前記後ケーシングに設けられ、前記第１のシャッターと連動し、前記給気入口の一部の開閉を調整する第２のシャッターと、前記後ケーシングに設けられ、前記第１のシャッター及び前記第２のシャッターのそれぞれの可動方向に沿って形成された引掛形状部材と、を備え、前記引掛形状部材は、前記第１のシャッター及び前記第２のシャッターの少なくとも一方を支持し、前記第１のシャッターが動かされた場合、該第１のシャッター及び該第２のシャッターの少なくとも一方の移動をガイドするものである。
【発明の効果】
【０００８】
本発明は、各シャッターの可動方向に沿って引掛形状部材が設けられることで、各部品を用いて組み立てられたとき、集積公差に起因した寸法ばらつきが大きくなったとしても、部品同士のがたつきを小さくすることができる。したがって、部品同士のがたつきに起因したシャッターの動作不良を低減することができるという効果を有する。
【図面の簡単な説明】
【０００９】
【図１】本発明の実施の形態１における熱交換換気扇１の給気風向き２１での使用例を示す図である。
【図２】本発明の実施の形態１における熱交換換気扇１の給気風向き２２での使用例を示す図である。
【図３】本発明の実施の形態１における熱交換換気扇１の風向きの一例を示した熱交換換気扇１の正面図である。
【図４】本発明の実施の形態１における熱交換換気扇１の風向きの一例を示した熱交換換気扇１を上から見た状態の内部構成図である。
【図５】本発明の実施の形態１における熱交換換気扇１の風向きの一例を示した熱交換換気扇１を側面から見た状態の内部構成図である。
【図６】本発明の実施の形態１における熱交換換気扇１の分解斜視図である。
【図７】本発明の実施の形態１における熱交換換気扇１の第１のシャッター８１と第２のシャッター８３との対応関係の一例を示す図である。
【図８】従来の熱交換換気扇２００における第１のシャッター８５と第２のシャッター８７とシャッターカバー８９との対応例を説明する分解斜視図である。
【図９】従来の熱交換換気扇２００の背面側からの外圧に起因して後ケーシング１８と第１のシャッター８５と第２のシャッター８７とが変形した状態の一例を説明する図である。
【図１０】従来の熱交換換気扇２００において後ケーシング１８と第１のシャッター８５と第２のシャッター８７とのそれぞれのクリアランスが正常である状態の一例を説明する図である。
【図１１】本発明の実施の形態１における熱交換換気扇１の第１のシャッター８１及び第２のシャッター８３を用いて排気出口３７と給気入口３９とを遮断した状態の一例を示す図である。
【図１２】本発明の実施の形態１における熱交換換気扇１の第１のシャッター８１及び第２のシャッター８３を用いて排気出口３７と給気入口３９とを開放した状態の一例を示す図である。
【図１３】本発明の実施の形態１における熱交換換気扇１の第１のシャッター８１に設けられた第１突起１１１ａと後ケーシング１８に設けられた第２突起１２０とが合致した状態の一例を示す図である。
【図１４】図１３のＡ−Ａ線断面図である。
【図１５】本発明の実施の形態１における熱交換換気扇１の第１のシャッター８１に設けられた第１突起１１１ａと後ケーシング１８に設けられた第２突起１２０とが離れた状態の一例を示す図である。
【図１６】図１５のＢ−Ｂ線断面図である。
【図１７】本発明の実施の形態１における熱交換換気扇１の弾性爪１０５ｂの配置箇所と概略形状とを示す図である。
【図１８】図１７に示す破線領域１４１の拡大図である。
【図１９】図１８のＣ−Ｃ線断面図である。
【図２０】本発明の実施の形態１における熱交換換気扇１のストッパー用突起１３１を用いて第２のシャッター８３の可動が止められた状態の一例を示す図である。
【図２１】本発明の実施の形態１における熱交換換気扇１の第１のシャッター８１及び第２のシャッター８３が第１引掛形状部材１０１ａに引っ掛かっている状態の一例を示す図である。
【図２２】図２１のＤ−Ｄ線断面図である。
【発明を実施するための形態】
【００１０】
以下、本発明の実施の形態について、図面を用いて詳細に説明する。なお、以後の説明で使用する各図面は一例を示すだけであって、特にこれらに限定しない。また、各図面に記載されている各構成の形状及び大きさは一例を示すだけであって、特にこれらに限定しない。
【００１１】
実施の形態１．
図１は、本発明の実施の形態１における熱交換換気扇１の給気風向き２１での使用例を示す図である。図２は、本発明の実施の形態１における熱交換換気扇１の給気風向き２２での使用例を示す図である。詳細については後述するが、本実施の形態１に係る熱交換換気扇１は、各シャッターの可動方向に沿って引掛形状部材１０１が設けられている。よって、本実施の形態１に係る熱交換換気扇１は、各部品を用いて組み立てられたとき、集積公差に起因した寸法ばらつきが大きくなったとしても、各部品同士のがたつきは小さくなる。したがって、各部品同士のがたつきに起因したシャッターの動作不良は低減する。
【００１２】
図１に示すように、熱交換換気扇１は、本体１５に正面パネル１１と風向可変ルーバー１３とが設けられている。熱交換換気扇１は、風向可変ルーバー１３が正面パネル１１に対してほぼ平行な状態の位置関係にある場合、給気風向き２１は、本体１５に対して下方を向いている。なお、本体１５は、例えば、図示しない壁面等に設けられるものであるが、特にこれに限定しない。
【００１３】
また、図２に示すように、熱交換換気扇１は、風向可変ルーバー１３が正面パネル１１に対してほぼ垂直な状態の位置関係にある場合、給気風向き２２は、本体１５に対して前方を向いている。
【００１４】
以上、図１及び図２を用いて説明したように、熱交換換気扇１は、風向可変ルーバー１３の向きを調整することで、風向きを可変としている。熱交換換気扇１は、詳細については後述するように、空調対象空間である室内等から取り込んだ空気と、室外等から取り込んだ外気とを熱交換させ、熱交換させた空気を室内等に供給する。よって、熱交換換気扇１において、風向可変ルーバー１３を可動させ、本体１５から吹き出させている空気は、熱交換されたものである。なお、熱交換換気扇１は、常に、熱交換された空気を本体１５から吹き出させるものではない。例えば、詳細については図示を省略するが、本体１５内の空気の流通経路にダンパを設けておき、このようなダンパで熱交換させるか否かが制御されてもよい。
【００１５】
次に、熱交換換気扇１において、熱交換に利用される空気の流れについて図３〜図５を用いて説明する。図３は、本発明の実施の形態１における熱交換換気扇１の風向きの一例を示した熱交換換気扇１の正面図である。図３に示すように、熱交換換気扇１は、正面側には正面パネル１１及び風向可変ルーバー１３が設けられ、室内等から環気を環気風向き２４、環気風向き２５、及び環気風向き２６等で示す風向きに沿って取り込む。なお、ここでいう環気という用語は、一旦風向可変ルーバー１３で位置調整されて吹き出された空気を取り込むという意味で用いている。また、熱交換換気扇１は、室外等から取り込んだ外気と、室内等から取り込んだ環気とを熱交換させ、給気風向き２３等に沿って吹き出している。
【００１６】
図４は、本発明の実施の形態１における熱交換換気扇１の風向きの一例を示した熱交換換気扇１を上から見た状態の内部構成図である。図４に示すように、熱交換換気扇１は、正面パネル１１と、本体１５と、後ケーシング１８とが層状に重なり合って構成されている。正面パネル１１の下方には図１〜図３を用いて前述したように風向可変ルーバー１３が設けられている。本体１５には給気通風路３１と環気通風路３２とが形成されている。また、本体１５には、給気通風路３１側に排気用羽根７１と、排気通風路入口３０とが設けられ、排気通風路入口３０にはフィルター６６が取り付けられている。また、本体１５には、環気通風路３２側に給気用羽根７２が設けられている。
【００１７】
後ケーシング１８には、排気出口３７及び給気入口３９が設けられており、排気出口３７側にはダクト接続フランジ４１が設けられ、給気入口３９側にはダクト接続フランジ４３が設けられている。ダクト接続フランジ４１及びダクト接続フランジ４３のそれぞれには、図示しないダクト等が設けられ、ダクトを介して排気及び外気の流通を行っている。
【００１８】
例えば、排気用羽根７１がモータ５２を用いて回転している場合、給気通風路３１内の排気用羽根７１の周囲には負圧が生じている。よって、フィルター６６を介して室内等から環気が取り込まれ、取り込まれた環気は熱交換器５１へ流れていく。一方、給気用羽根７２がモータ５２を用いて回転している場合、環気通風路３２内の給気用羽根７２の周囲には負圧が生じている。よって、給気入口３９から外気が取り込まれ、取り込まれた外気は給気流入面に設けられたフィルター６３を通過して熱交換器５１へ流れていく。また、熱交換器５１で熱交換された環気は、排気として排気出口３７から排出される。つまり、熱交換器５１は、排気用羽根７１に対しては下流側となり、給気用羽根７２に対しても下流側となる場所に設けられている。
【００１９】
図５は、本発明の実施の形態１における熱交換換気扇１の風向きの一例を示した熱交換換気扇１を側面から見た状態の内部構成図である。図５に示すように、本体１５には、上述した給気通風路３１及び環気通風路３２の他に、外気通風路３４及び排気通風路３５が形成されている。環気は、環気通風路３２を流通し、熱交換器５１で熱交換後、排気として排気通風路３５へ流通し、図４で前述した排気出口３７から本体１５の外へ排出される。
【００２０】
一方、外気は、図４で前述した給気入口３９から取り込まれた外気は外気通風路３４を流通し、熱交換器５１で熱交換後、給気として給気通風路３１へ流通し、風向可変ルーバー１３で調整された風向きで本体１５から吹き出される。
【００２１】
つまり、環気から排気へ至る経路と、外気から給気へ至る経路とが、図５で示すように、熱交換器５１の内部で交差している。
【００２２】
以上、図３〜図５を用いて説明したように、熱交換換気扇１は、室外等から取り込んだ外気と、室内等から取り込んだ環気とが熱交換器５１で熱交換され、室外等には排気として本体１５から排出され、室内等には給気として本体１５から吹き出させている。
【００２３】
次に、熱交換換気扇１において、熱交換に関する構造について図６を用いて説明する。図６は、本発明の実施の形態１における熱交換換気扇１の分解斜視図である。図６に示すように、熱交換換気扇１は、前述した本体１５として、前ケーシング１６及び中ケーシング１７を備える。
【００２４】
正面パネル１１の下端部には、風向可変ルーバー１３を取り付ける軸等が設けられ、このような軸に風向可変ルーバー１３が取り付けられ、給気の風向きが風向可変ルーバー１３で調整される。
【００２５】
前ケーシング１６には、排気通風路入口３０が設けられ、フィルター６６が排気通風路入口３０に取り付けられる。フィルター６６は、室内等の埃等を捕集する。また、前ケーシング１６の下方には、ドレン皿６２が設けられ、ドレン皿６２は、熱交換器５１で発生した結露水を受ける。また、前ケーシング１６の前方側に、風向可変ルーバー１３を設けた状態の正面パネル１１が装着されることで、前ケーシング１６の内部には、給気通風路３１、環気通風路３２、及び給気出口３８が形成される。なお、図６においては、図示を省略するが、図５を用いて説明した外気通風路３４及び排気通風路３５が前ケーシングの内部に形成されている。
【００２６】
中ケーシング１７は、例えば、スチロール成型されたものであり、前ケーシング１６と、後ケーシング１８とで挟み込まれることで、前ケーシング１６及び後ケーシング１８に収容される。中ケーシング１７には、熱交換器５１、フィルター６３、フィルター保持枠６４、及びフィルター保持枠６５等が収容される。フィルター６３は、フィルター保持枠６４及びフィルター保持枠６５で保持され、熱交換器５１の給気流入面に取り付けられ、外気から侵入する塵埃等を除去する。フィルター保持枠６５は、中ケーシング１７に取り付けられる。
【００２７】
また、中ケーシング１７には、モータ５２が収容される。モータ５２には、仕切り部材６１にモータ５２が取り付けられ、モータ５２の一方の回転軸には仕切り部材６１の一方の側に排気用羽根７１が設けられ、モータ５２の他方の回転軸には仕切り部材６１の他方の側に給気用羽根７２が設けられている。
【００２８】
後ケーシング１８には、上述したように、排気出口３７及び給気入口３９が設けられており、第１のシャッター８１及び第２のシャッター８３が取り付けられる。第１のシャッター８１には開口３６が形成され、詳細については後述するように、第１のシャッター８１の可動に対して、第２のシャッター８３は連動して動作する。
【００２９】
熱交換換気扇１は、運転時に第１のシャッター８１及び第２のシャッター８３が予め定めた位置に可動することで、排気出口３７が開放されると共に、開口３６の位置と、給気入口３９とがほぼ一致し、排気出口３７を用いた通風が可能となる。また、このとき、給気用羽根７２が回転するため、後ケーシング１８に設けられた給気入口３９から外気が取り込まれる。また、このとき、排気用羽根７１が回転するため、排気通風路入口３０から取り込まれた室内の空気が取り込まれるため、外気と室内から取り込んだ空気とが熱交換される。熱交換された空気の一部は、室内に吹き出させ、熱交換された空気の一部は、排気出口３７から排出させる。
【００３０】
一方、熱交換換気扇１は、運転停止時に第１のシャッター８１及び第２のシャッター８３が予め定めた位置に可動することで、排気出口３７及び給気入口３９が遮断される。よって、この場合には、排気出口３７及び給気入口３９を介して空気等が流通しない状態である。
【００３１】
以上、図６を用いて説明したように、熱交換換気扇１は、後ケーシング１８に設けられた給気入口３９から取り込んだ外気と、室内から取り込んだ空気（環気）とを熱交換器５１で熱交換させた空気の一部を、風向可変ルーバー１３で風向きが調整されて室内等に吹き出させる。また、熱交換換気扇１は、熱交換器５１で熱交換された空気の一部を、後ケーシング１８に設けられた排気出口３７から排出させる。後ケーシング１８には排気出口３７と給気入口３９とが設けられているが、排気出口３７又は給気入口３９に空気を流通させるか否かは、第１のシャッター８１及び第２のシャッター８３の少なくとも一方を用いて行っている。
【００３２】
次に、第１のシャッター８１及び第２のシャッター８３の詳細構成について図７〜図２２を用いて順に説明する。図７は、本発明の実施の形態１における熱交換換気扇１の第１のシャッター８１と第２のシャッター８３との対応関係の一例を示す図である。
【００３３】
図７に示すように、第１のシャッター８１には、凸部９３−１、凸部９３−２、凸部９３−３、及び凸部９３−４が設けられている。具体的には、凸部９３−１及び凸部９３−２は１組として一定の間隔をおいて構成され、凸部９３−３及び凸部９３−４は１組として一定の間隔をおいて構成されている。つまり、凸部９３−１の中心部と、凸部９３−２の中心部とを結んだ仮想上の線分と、凸部９３−３の中心部と、凸部９３−４の中心部とを結んだ仮想上の線分とがほぼ平行状態となる位置に、凸部９３−１、凸部９３−２、凸部９３−３、及び凸部９３−４は、第１のシャッター８１の面上に設けられている。
【００３４】
なお、凸部９３−１、凸部９３−２、凸部９３−３、及び凸部９３−４を総称する場合、凸部９３と称する。また、凸部９３−１、凸部９３−２、凸部９３−３、及び凸部９３−４のそれぞれは、ほぼ円柱形状の部材で形成されている。ただし、凸部９３−１、凸部９３−２、凸部９３−３、及び凸部９３−４の形状は一例を示し、特にこれに限定しない。例えば、凸部９３−１と、凸部９３−２とが一体形成され、凸部９３−３と、凸部９３−４とが一体形成されてもよい。また、凸部９３の大きさ及び材質は特に限定しない。
【００３５】
また、図７に示すように、第２のシャッター８３には、長穴９１−１及び長穴９１−２が設けられている。具体的には、長穴９１−１の仮想的な中心軸上の線分と、長穴９１−２の仮想的な中心軸上の線分とがほぼ平行状態となる位置に、長穴９１−１及び長穴９１−２は、例えば、第２のシャッター８３に切削等で孔開け加工されている。長穴９１−１及び長穴９１−２の長手方向の長さは、給気入口３９を遮断する範囲で規定される。例えば、第１のシャッター８１の一部と、第２のシャッター８３とで給気入口３９は遮断されるが、第１のシャッター８１で遮断できない範囲を覆うのに必要な範囲だけ第２のシャッター８３が移動する分の長さが必要となる。
【００３６】
よって、長穴９１−１及び長穴９１−２の長手方向の長さは、第１のシャッター８１で給気入口３９を遮断できない範囲を覆うことができる分だけ第２のシャッター８３が移動できる長さであればよい。
【００３７】
また、長穴９１−１の長手方向の長さ及び長穴９１−２の長手方向の長さのそれぞれの長さは、第１のシャッター８１で給気入口３９を遮断できない範囲を覆うことができる分だけ第２のシャッター８３が移動できる長さであればよい。よって、長穴９１−１の長手方向の長さと、長穴９１−２の長手方向の長さとは、同じ長さであってもよく、異なる長さであってもよい。
【００３８】
なお、長穴９１−１及び長穴９１−２を総称する場合、長穴９１と称する。また、長穴９１は、孔開け加工されたものでなくてもよく、特に限定しない。例えば、第２のシャッター８３に対してプレス加工することで長穴９１が形成されてもよい。また、第２のシャッター８３が炭素繊維等を含む樹脂等で形成される場合には、金型等に長穴９１を予め設けておいてもよい。
【００３９】
また、長穴９１−１と、長穴９１−２との距離と、凸部９３−１及び凸部９３−２と、凸部９３−３及び凸部９３−４との距離とは、ほぼ等しい状態で第１のシャッター８１及び第２のシャッター８３上にそれぞれ形成されている。
【００４０】
上記構成を前提として、凸部９３−１及び凸部９３−２は、長穴９１−１に挿入され、凸部９３−３及び凸部９３−４は、長穴９１−２に挿入される。つまり、第２のシャッター８３は、凸部９３が長穴９１に挿入されることで、第１のシャッター８１に取り付けられる。よって、第２のシャッター８３は、凸部９３と長穴９１とが互いに接しつつ滑りながら動くため、凸部９３に合わせて第１のシャッター８１上を可動することが可能となっている。したがって、第２のシャッター８３は、第１のシャッター８１の動作に連動することができる。つまり、第２のシャッター８３の可動範囲は、凸部９３及び長穴９１によって決まるものである。
【００４１】
次に、各シャッターにおける従来の問題点について図８〜図１０を用いて確認し、従来の問題点を解決する熱交換換気扇１の引掛形状部材１０１に関する技術的事項について図１１〜図２２を用いて説明する。
【００４２】
図８は、従来の熱交換換気扇２００における第１のシャッター８５と第２のシャッター８７とシャッターカバー８９との対応例を説明する分解斜視図である。第２のシャッター８７は、第１のシャッター８５に対し、連動して動作するように取り付けられている。この状態で、第１のシャッター８５及び第２のシャッター８７は、後ケーシング１８に組み込まれる。また、第１のシャッター８５及び第２のシャッター８７が後ケーシング１８に組み込まれた状態で、シャッターカバー８９が後ケーシング１８にネジ９５で取り付けられる。
【００４３】
また、第１のシャッター８５には取っ手１１８が設けられている。よって、取っ手１１８が動かされることで、第１のシャッター８５は可動し、第２のシャッター８７は第１のシャッター８５に連動する。この結果、後ケーシング１８に設けられた排気出口３７及び給気入口３９の開閉が制御される。
【００４４】
従来の熱交換換気扇２００では、第１のシャッター８５と、第２のシャッター８７との他に、シャッターカバー８９が用いられている。つまり、シャッター構成は、第１のシャッター８５と、第２のシャッター８７と、シャッターカバー８９との３つの部品で構成されている。よって、従来の熱交換換気扇２００は、部品点数が多いため、各部品を集めたときの集積公差も大きくなる。集積公差が大きくなれば、従来の熱交換換気扇２００の寸法ばらつきも大きくなる。
【００４５】
したがって、寸法のばらつき方が通常想定される公差と比較して小さい方向で、すなわち、マイナス公差のばらつきがあった場合、部品同士のクリアランスは小さくなる。例えば、第１のシャッター８５と、第２のシャッター８７と、後ケーシング１８との間にそれぞれ形成されるクリアランスにおいて、予め定めた公差の範囲を超えたマイナス公差が現れた場合には、第１のシャッター８５の可動に第２のシャッター８７が連動できない虞があった。
【００４６】
また、寸法のばらつき方が通常想定される公差と比較して大きい方向で、すなわち、プラス公差のばらつきがあった場合、部品同士のクリアランスは大きくなる。例えば、第１のシャッター８５と、第２のシャッター８７と、後ケーシング１８との間にそれぞれ形成されるクリアランスにおいて、予め定めた公差の範囲を超えたプラス公差が現れた場合には、第１のシャッター８５の可動に第２のシャッター８７が連動するときに、がたつきが大きくなる虞があった。
【００４７】
また、例えば、シャッターカバー８９と、第１のシャッター８５と、後ケーシング１８とのそれぞれの間のクリアランスは、シャッターカバー８９と、第１のシャッター８５とを接触して滑りながら動作させるため、一定のクリアランスがとられている。その分、第１のシャッター８５と、後ケーシング１８とのがたつきは大きくなる。よって、排気出口３７及び給気入口３９が第１のシャッター８５及び第２のシャッター８７で遮断されたときであっても、各部品の隙間からの外気侵入量が増加する虞があった。
【００４８】
なお、従来のシャッター構成においては、後ケーシング１８に第１のシャッター８５及び第２のシャッター８７を設ける第１工程と、シャッターカバー８９を被せる第２工程と、ネジ９５で固定する第３工程との第１工程から第３工程までの組立工程を要するため、製造コストもその分かかっていた。
【００４９】
また、各部品の成形ばらつきに起因した反り返りが各部品で生じている場合であっても、部品同士のクリアランスが、予め定めた公差の範囲を超える虞があった。また、従来の熱交換換気扇２００が壁面等の製品取付壁に取り付けられる場合、図９で後述するような状態に至ることがあった。
【００５０】
図９は、従来の熱交換換気扇２００の背面側からの外圧に起因して後ケーシング１８と第１のシャッター８５と第２のシャッター８７とが変形した状態の一例を説明する図である。図１０は、従来の熱交換換気扇２００において後ケーシング１８と第１のシャッター８５と第２のシャッター８７とのそれぞれのクリアランスが正常である状態の一例を説明する図である。
【００５１】
図９においては、従来の熱交換換気扇２００を施工する際、製品取付壁に凹凸があった場合を想定している。よって、製品取付壁の凹凸が従来の熱交換換気扇２００の背面側を圧迫するため、後ケーシング１８に強い荷重がかかる。したがって、第１のシャッター８５及び第２のシャッター８７に対しても強い荷重がかかるため、第１のシャッター８５及び第２のシャッター８７が変形する。
【００５２】
この結果、シャッターカバー８９と、後ケーシング１８とで形成される空間が狭まり、第１のシャッター８５と、第２のシャッター８７とが挟まった状態となり、第１のシャッター８５と、第２のシャッター８７との間に予め定めたクリアランスが確保されなくなる。したがって、第１のシャッター８５が動かされたとしても、第１のシャッター８５及び第２のシャッター８７が予め想定した動作をすることができず、動作不良に至る虞があった。
【００５３】
いずれの場合においても、従来の熱交換換気扇２００は、各部品の集積公差に起因して寸法ばらつきが大きくなると、部品同士のがたつきが大きくなった。よって、従来の熱交換換気扇２００においては、図１０に示すように、第１のシャッター８５と、第２のシャッター８７と、後ケーシング１８とのそれぞれの間のクリアランスが確保されることがない虞があるため、動作不良の発生率が高かった。
【００５４】
そこで、後述するように、本実施の形態１に係る後ケーシング１８では、各シャッターの可動方向に沿って引掛形状部材１０１が設けられている。この構成のため、各部品を用いて組み立てられたとき、集積公差に起因した寸法ばらつきが大きくなったとしても、部品同士のがたつきを小さくすることができるものである。
【００５５】
図１１は、本発明の実施の形態１における熱交換換気扇１の第１のシャッター８１及び第２のシャッター８３を用いて排気出口３７と給気入口３９とを遮断した状態の一例を示す図である。図１１に示すように、後ケーシング１８には、第１引掛形状部材１０１ａ、第１引掛形状部材１０１ｂ、第２引掛形状部材１０１ｃ、第４引掛形状部材１０１ｄ、第３引掛形状部材１０１ｅ、及び第３引掛形状部材１０１ｆを備えている。また、後ケーシング１８には、後ケーシング１８の長手方向に沿った溝１１９が設けられている。また、後ケーシング１８の縁の周囲には、予め定めた形状の壁が立脚している。
【００５６】
なお、第１引掛形状部材１０１ａ、第１引掛形状部材１０１ｂ、第２引掛形状部材１０１ｃ、第４引掛形状部材１０１ｄ、第３引掛形状部材１０１ｅ、及び第３引掛形状部材１０１ｆを総称して引掛形状部材１０１と称する。
【００５７】
また、第３引掛形状部材１０１ｅには弾性爪１０５ｂが設けられ、第３引掛形状部材１０１ｆには弾性爪１０５ａが設けられている。なお、弾性爪１０５ａ及び弾性爪１０５ｂを総称して弾性爪１０５と称する。
【００５８】
第１のシャッター８１には、上述したように、開口３６が設けられている。また、第１のシャッター８１には、取っ手１１７が設けられ、取っ手１１７は、溝１１９を貫通しており、取っ手１１７が動かされることで第１のシャッター８１が動くようになっている。よって、取っ手１１７が動かされることで、上述したように、第２のシャッター８３も連動する。
【００５９】
また、第１のシャッター８１には、第１突起１１１ａ及び第１突起１１１ｂが設けられている。なお、第１突起１１１ａ及び第１突起１１１ｂを総称して第１突起１１１と称する。
【００６０】
第２のシャッター８３には、上述したように、長穴９１−１及び長穴９１−２が設けられている。また、第２のシャッター８３には、輪状凸部１１５が設けられている。
【００６１】
上記構成において、第１のシャッター８１は、第１引掛形状部材１０１ａ、第１引掛形状部材１０１ｂ、第２引掛形状部材１０１ｃ、第３引掛形状部材１０１ｅ、第３引掛形状部材１０１ｆ、第４引掛形状部材１０１ｄで支持される。また、第１のシャッター８１が取っ手１１７等で動かされた場合、第１引掛形状部材１０１ａ、第１引掛形状部材１０１ｂ、第２引掛形状部材１０１ｃ、第３引掛形状部材１０１ｅ、第３引掛形状部材１０１ｆ、第４引掛形状部材１０１ｄは、第１のシャッター８１の移動をガイドする。
【００６２】
つまり、第１引掛形状部材１０１ａ、第１引掛形状部材１０１ｂ、第２引掛形状部材１０１ｃ、第３引掛形状部材１０１ｅ、第３引掛形状部材１０１ｆ、第４引掛形状部材１０１ｄは、第１のシャッター８１の可動方向に沿った位置に形成されている。換言すれば、第１引掛形状部材１０１ａ、第１引掛形状部材１０１ｂ、第２引掛形状部材１０１ｃ、第３引掛形状部材１０１ｅ、第３引掛形状部材１０１ｆ、第４引掛形状部材１０１ｄは、第１のシャッター８１を支持すると共に、移動をガイドする機能を有している。
【００６３】
また、第１引掛形状部材１０１ａ、第１引掛形状部材１０１ｂ、第２引掛形状部材１０１ｃ、第３引掛形状部材１０１ｅ、第３引掛形状部材１０１ｆ、第４引掛形状部材１０１ｄは、後ケーシング１８と一体形成されている。なお、第１引掛形状部材１０１ａ、第１引掛形状部材１０１ｂ、第２引掛形状部材１０１ｃ、第３引掛形状部材１０１ｅ、第３引掛形状部材１０１ｆ、第４引掛形状部材１０１ｄと、後ケーシング１８との一体形成の方法は特に限定しない。
【００６４】
例えば、第１引掛形状部材１０１ａ、第１引掛形状部材１０１ｂ、第２引掛形状部材１０１ｃ、第３引掛形状部材１０１ｅ、第３引掛形状部材１０１ｆ、第４引掛形状部材１０１ｄが、リベット等で後ケーシング１８に圧着されることで一体形成されてもよい。また、例えば、第１引掛形状部材１０１ａ、第１引掛形状部材１０１ｂ、第２引掛形状部材１０１ｃ、第３引掛形状部材１０１ｅ、第３引掛形状部材１０１ｆ、第４引掛形状部材１０１ｄが、溶接等で後ケーシング１８に接合されることで一体形成されてもよい。また、例えば、第１引掛形状部材１０１ａ、第１引掛形状部材１０１ｂ、第２引掛形状部材１０１ｃ、第３引掛形状部材１０１ｅ、第３引掛形状部材１０１ｆ、第４引掛形状部材１０１ｄと、後ケーシング１８とを一体形成する金型に、第１引掛形状部材１０１ａ、第１引掛形状部材１０１ｂ、第２引掛形状部材１０１ｃ、第３引掛形状部材１０１ｅ、第３引掛形状部材１０１ｆ、第４引掛形状部材１０１ｄと、後ケーシング１８とを形成する部材を融点を超える状態にしてから流し込み、冷却させて一体形成してもよい。
【００６５】
第３引掛形状部材１０１ｅ及び第３引掛形状部材１０１ｆは、第１のシャッター８１に対して立脚して形成されており、第３引掛形状部材１０１ｆは、第１のシャッター８１の開口３６の可動範囲に設けられている。
【００６６】
また、上記構成において、第２のシャッター８３は、第１のシャッター８１と、後ケーシング１８との間に挟み込まれ、第１引掛形状部材１０１ａ及び第１引掛形状部材１０１ｂで支持される。また、第１引掛形状部材１０１ａ及び第１引掛形状部材１０１ｂは、第２のシャッター８３の可動方向に沿って形成されている。
【００６７】
図１１においては、後ケーシング１８に設けられた排気出口３７は、第１のシャッター８１で遮断されている。一方、後ケーシング１８に設けられた給気入口３９は、第１のシャッター８１と、第２のシャッター８３とで遮断されている。なお、第３突起１２１は、第３引掛形状部材１０１ｆに沿って形成されており、第１のシャッター８１が動かされて排気出口３７と給気入口３９とを開放させる際のストッパーとしての機能を有するものである。
【００６８】
なお、この状態においては、詳細については後述するが、第１のシャッター８１に設けられた第１突起１１１ａと、第２引掛形状部材１０１ｃとの間のクリアランスは保持されている。また、この状態においては、詳細については後述するが、第１のシャッター８１の開口３６のうちの１つの縁側の第１のシャッター８１の面と、弾性爪１０５ａとの間のクリアランスは保持されている。また、この状態においては、詳細については後述するが、第１のシャッター８１の１つの縁側の面と、弾性爪１０５ｂとの間のクリアランスは保持されている。
【００６９】
図１２は、本発明の実施の形態１における熱交換換気扇１の第１のシャッター８１及び第２のシャッター８３を用いて排気出口３７と給気入口３９とを開放した状態の一例を示す図である。図１２に示すように、取っ手１１７が動かされることで、第１のシャッター８１は動きが止められるまで動かされる。一方、第２のシャッター８３は、第１のシャッター８１に連動し、動きが止められるまで動かされる。
【００７０】
この結果、第１のシャッター８１が後ケーシング１８の縁のうちの１つの縁側に立脚した壁側に移動することで、排気出口３７は開放される。また、第２のシャッター８３が後ケーシング１８の縁のうちの１つの縁側に立脚した壁側に第１のシャッター８１と同様に移動し、開口３６の位置と、給気入口３９の位置とが、ほぼ一致するため、給気入口３９は開放される。
【００７１】
なお、この状態においては、第１のシャッター８１に設けられた第１突起１１１ｂと、第２引掛形状部材１０１ｃとの間のクリアランスは保持されている。また、第１のシャッター８１の周囲の縁のうちの１つの縁と、第２のシャッター８３の周囲の縁のうちの１つの縁とが、後ケーシング１８周囲の縁から立脚している壁と接触している。
【００７２】
つまり、排気出口３７は、第１のシャッター８１で開閉が調整され、給気入口３９は、第１のシャッター８１の一部と、第２のシャッター８３の一部とで開閉が調整される。換言すれば、第１のシャッター８１は、排気出口３７と、給気入口３９の一部の開閉を調整し、第２のシャッター８３は、第１のシャッター８１と連動し、給気入口３９の一部の開閉を調整する。
【００７３】
なお、上記で説明した形状は一例を示し、特にこれらに限定しない。例えば、第１のシャッター８１及び第２のシャッター８３の少なくとも一方が曲面形状を有するものであれば、後ケーシング１８及び引掛形状部材１０１においてもそれらに対応した曲面形状を有していればよい。
【００７４】
次に、第２引掛形状部材１０１ｃの詳細について説明する。なお、第２引掛形状部材１０１ｃと、第４引掛形状部材１０１ｄとは同様の構成であるため、第４引掛形状部材１０１ｄについては、その説明及び図面の相当する記載については省略する。
【００７５】
図１３は、本発明の実施の形態１における熱交換換気扇１の第１のシャッター８１に設けられた第１突起１１１ａと後ケーシング１８に設けられた第２突起１２０とが合致した状態の一例を示す図である。図１４は、図１３のＡ−Ａ線断面図である。上述したように、熱交換換気扇１が換気扇の運転を停止する時には、排気出口３７及び給気入口３９は遮断された状態となっている。この状態においては、図１３及び図１４に示すように、第２突起１２０の一部と、第１突起１１１ａの一部とが互いに接した状態となっている。よって、第１のシャッター８１と、後ケーシング１８との間に形成されるクリアランスが減少する。したがって、第１のシャッター８１のがたつきは低減される。
【００７６】
図１５は、本発明の実施の形態１における熱交換換気扇１の第１のシャッター８１に設けられた第１突起１１１ａと後ケーシング１８に設けられた第２突起１２０とが離れた状態の一例を示す図である。図１６は、図１５のＢ−Ｂ線断面図である。上述したように、熱交換換気扇１が換気扇の運転中である時には、排気出口３７及び給気入口３９は開放された状態となっている。この状態においては、図１５及び図１６に示すように、第２突起１２０と、第１突起１１１ａとが互いに離れた状態となっている。よって、第１のシャッター８１と、後ケーシング１８との間に形成されるクリアランスが確保されている。したがって、第１のシャッター８１の動きは滑らかとなる。
【００７７】
なお、第１突起１１１ａは、第２引掛形状部材１０１ｃと、後ケーシング１８とで形成される空間を通過する第１のシャッター８１の端部側に設けられている。第１突起１１１ａは斜面を有する形状で形成されているが特にこれに限定せず、一部が突出した状態が設けられていればよい。また、第１突起１１１ｂは、第１突起１１１ａと同様の構成であるため、その説明及び対応する図面の記載については省略する。
【００７８】
次に、第３引掛形状部材１０１ｅの詳細について説明する。なお、第３引掛形状部材１０１ｅと、第３引掛形状部材１０１ｆとは同様の構成であるため、第３引掛形状部材１０１ｆについては、その説明及び図面の相当する記載については省略する。
【００７９】
図１７は、本発明の実施の形態１における熱交換換気扇１の弾性爪１０５ｂの配置箇所と概略形状とを示す図である。図１８は、図１７に示す破線領域１４１の拡大図である。図１９は、図１８のＣ−Ｃ線断面図である。
【００８０】
図１７及び図１８に示すように、第３引掛形状部材１０１ｅは長手方向を有する部材であり、その中ほどに、弾性爪１０５ｂが形成されている。弾性爪１０５ｂは、図１９に示すように、第３引掛形状部材１０１ｅと比較して、第１のシャッター８１に近接している。弾性爪１０５ｂは、例えば、金属ばね又は炭素繊維等が含まれる樹脂等の弾性体で形成される。
【００８１】
上述したように、熱交換換気扇１が換気扇の運転を停止する時には、排気出口３７及び給気入口３９は遮断された状態となっている。この状態においては、図１３及び図１４に示すように、第２突起１２０の一部と、第１突起１１１ａの一部とが互いに接した状態となっているが、図１７〜図１９に示す弾性爪１０５ｂにおいては、さらに、第１のシャッター８１と、後ケーシング１８との間に形成されるクリアランスが減少する。したがって、第１のシャッター８１のがたつきはさらに低減される。
【００８２】
例えば、第２突起１２０の一部と、第１突起１１１ａの一部とが互いに接した状態となるはずのときに寸法ばらつき等が原因で互いに離れた状態であったとしても、弾性爪１０５ｂが、第１のシャッター８１を押さえつける。よって、第１のシャッター８１のがたつきを抑制できる。
【００８３】
また、例えば、寸法ばらつき等が原因で、第２突起１２０の一部と、第１突起１１１ａの一部とが近づく方向の荷重が過度に与えることになったとしても、弾性爪１０５ｂが弾性体であるため、第１のシャッター８１周囲のクリアランスは一定に保たれる。よって、寸法ばらつきが原因で、第１のシャッター８１が動かなくなる状態を回避できる。
【００８４】
以上、寸法ばらつき等が原因で発生する虞のある動作不良を回避する構成例について説明した。次に、第２のシャッター８３の連動動作を途中で止める構成について図２０を用いて説明する。図２０は、本発明の実施の形態１における熱交換換気扇１のストッパー用突起１３１を用いて第２のシャッター８３の可動が止められた状態の一例を示す図である。
【００８５】
図２０に示すように、後ケーシング１８にはストッパー用突起１３１が設けられている。ストッパー用突起１３１は、第２のシャッター８３と接することで、第２のシャッター８３の連動動作を止める。具体的には、第２のシャッター８３の側面と、ストッパー用突起１３１とが接触することで、ストッパー用突起１３１はストッパーとしての機能を有することとなる。なお、第２のシャッター８３には、上述したように、輪状凸部１１５が設けられている。輪状凸部１１５は、第２のシャッター８３の周囲の縁に沿って形成されている環状形状の凸部である。
【００８６】
例えば、第１のシャッター８１が動かされたとき、第２のシャッター８３は連動するが、給気入口３９を塞ぐ位置を超えてしまう場合がある。このような場合であっても、第２のシャッター８３が給気入口３９を塞ぐ位置で止まるように、ストッパー用突起１３１が第２のシャッター８３の動きを止める。なお、ストッパー用突起１３１も後ケーシング１８に一体形成されている。
【００８７】
上述した各種一体形成の構成で、集積する部品点数が削減されると共に、集積公差も低減することができる。
【００８８】
次に、第１引掛形状部材１０１ａの詳細について説明する。なお、第１引掛形状部材１０１ａと、第１引掛形状部材１０１ｂとは同様の構成であるため、その説明及び図面の相当する記載については省略する。
【００８９】
図２１は、本発明の実施の形態１における熱交換換気扇１の第１のシャッター８１及び第２のシャッター８３が第１引掛形状部材１０１ａに引っ掛かっている状態の一例を示す図である。図２２は、図２１のＤ−Ｄ線断面図である。
【００９０】
第１引掛形状部材１０１ａは、第１のシャッター８１と、第２のシャッター８３とが互いに対向する状態を保持する。具体的には、第１引掛形状部材１０１ａは、第２のシャッター８３を支持する第１部材１５１と、第１のシャッター８１を支持する第２部材１５２とを備えている。第１部材１５１と、後ケーシング１８とで第２のシャッター８３の第１可動空間１６１が形成されている。第２部材１５２と、第１部材１５１と、第２のシャッター８３と、後ケーシング１８とで第１のシャッター８１の第２可動空間１６２が形成されている。
【００９１】
第２のシャッター８３は、第１可動空間１６１に設けられ、第１のシャッター８１は、第２可動空間１６２のうち、第２部材１５２と、第２のシャッター８３との間に設けられている。
【００９２】
上記構成で、第１のシャッター８１と、第２のシャッター８３とが同時に押さえ込まれるため、部品同士のがたつきを小さくすることができる。
【００９３】
以上の説明から次のことが言える。一体形成される部品が存在するため、集積するのに必要な部品点数は削減される。よって、熱交換換気扇１の組立作業の効率が向上し、製造コストも合わせて削減することができる。
【００９４】
また、熱交換換気扇１の施工時において、壁面等に取り付ける際、取付対象壁面の凹凸等の膨らみで熱交換換気扇１の背面側が圧迫を受けることがあったとしても、第１のシャッター８１は面で固定されていないため、そのような圧迫に起因した荷重が第１のシャッター８１全体にかかることがない。よって、各部品の一部においてクリアランスが詰まったとしても、全体としてクリアランスを確保することができるため、第１のシャッター８１及び第２のシャッター８３の動作不良の発生率を低減することができる。
【００９５】
また、第１突起１１１、第２突起１２０、及び弾性爪１０５が第１のシャッター８１のがたつきを押さえ込む。よって、外気等の侵入量が軽減されると共に、外風等が起因の異常音を抑制することができる。
【００９６】
また、第１引掛形状部材１０１ａ及び第１引掛形状部材１０１ｂは、第１のシャッター８１の一部及び第２のシャッター８３の一部を同時に接触させつつ、第１のシャッター８１の一部と、第２のシャッター８３とを滑らかに動かすことができる。第１引掛形状部材１０１ａ及び第１引掛形状部材１０１ｂは、後ケーシング１８と一体形成される。第１引掛形状部材１０１ａ及び第１引掛形状部材１０１ｂは、その構造が金型構造の簡略化させることができる。第１引掛形状部材１０１ａ及び第１引掛形状部材１０１ｂは、その形状自体が簡略化されたものであって、小スペースで第１のシャッター８１及び第２のシャッター８３を設置できる。よって、熱交換換気扇１の製品の厚みを低減させることもできる。
【００９７】
以上、本実施の形態１において、室内から取り込んだ空気を排気する排気出口３７と、室外から取り込んだ空気を給気する給気入口３９とが形成された後ケーシング１８と、後ケーシング１８に設けられ、排気出口３７と、給気入口３９の一部との開閉を調整する第１のシャッター８１と、後ケーシング１８に設けられ、第１のシャッター８１と連動し、給気入口３９の一部の開閉を調整する第２のシャッター８３と、後ケーシング１８に設けられ、第１のシャッター８１及び第２のシャッター８３のそれぞれの可動方向に沿って形成された引掛形状部材１０１と、を備え、引掛形状部材１０１は、第１のシャッター８１及び第２のシャッター８３の少なくとも一方を支持し、第１のシャッター８１が動かされた場合、第１のシャッター８１及び第２のシャッター８３の少なくとも一方の移動をガイドする熱交換換気扇１が構成される。
【００９８】
上記構成のため、各部品を用いて組み立てられたとき、集積公差に起因した寸法ばらつきが大きくなったとしても、部品同士のがたつきを小さくすることができる。したがって、各部品同士のがたつきに起因したシャッターの動作不良を低減することができる。
【００９９】
また、本実施の形態１において、引掛形状部材１０１と、後ケーシング１８とは一体形成されたものである。
【０１００】
また、本実施の形態１において、引掛形状部材１０１のうち、第１のシャッター８１と、第２のシャッター８３とが互いに対向する状態を保持する第１引掛形状部材１０１ａ、１０１ｂを備え、第１引掛形状部材１０１ａ、１０１ｂは、第２のシャッター８３を支持する第１部材１５１と、第１のシャッター８１を支持する第２部材１５２と、を備え、第１部材１５１と、後ケーシング１８とで第２のシャッター８３の第１可動空間１６１が形成され、第２部材１５２と、第１部材１５１と、第２のシャッター８３と、後ケーシング１８とで第１のシャッター８１の第２可動空間１６２が形成され、第２のシャッター８３は、第１可動空間１６１に設けられ、第１のシャッター８１は、第２可動空間１６２のうち、第２部材１５２と、第２のシャッター８３との間に設けられたものである。
【０１０１】
また、本実施の形態１において、引掛形状部材１０１のうち、第１のシャッター８１を支持し、第１のシャッター８１が動かされた場合、第１のシャッター８１の移動をガイドする第２引掛形状部材１０１ｃを備え、第１のシャッター８１は、第２引掛形状部材１０１ｃと、後ケーシング１８とで形成される空間を通過する第１のシャッター８１の端部側に第１突起１１１を備え、第２引掛形状部材１０１ｃは、第２突起１２０を備え、第１のシャッター８１及び第２のシャッター８３の少なくとも一方を用いることで、排気出口３７又は給気入口３９が開放された場合、第１突起１１１の一部と、第２突起１２０の一部とが互いに接した状態となるものである。
【０１０２】
また、本実施の形態１において、引掛形状部材１０１のうち、第１のシャッター８１と、後ケーシング１８とで予め定めた間隔を保持する第３引掛形状部材１０１ｅ、１０１ｆを備え、第３引掛形状部材１０１ｅ、１０１ｆは、第１のシャッター８１と接する箇所が形成される弾性爪１０５を備えたものである。
【０１０３】
また、本実施の形態１において、弾性爪１０５は、弾性体で形成され、第１のシャッター８１が動かされている間、第１のシャッター８１との間のクリアランスが保持される位置に設けられている。
【０１０４】
また、本実施の形態１において、後ケーシング１８は、給気入口３９が第１のシャッター８１及び第２のシャッター８３で閉じられる場合、第２のシャッター８３の移動を止めるストッパー用突起１３１を備えたものである。
【０１０５】
上記構成のため、部品同士のがたつきを特に顕著に小さくすることができる。したがって、各部品同士のがたつきに起因したシャッターの動作不良の発生率を低減することができる。
【符号の説明】
【０１０６】
１、２００  熱交換換気扇、１１  正面パネル、１３  風向可変ルーバー、１５  本体、１６  前ケーシング、１７  中ケーシング、１８  後ケーシング、２１、２２、２３  給気風向き、２４、２５、２６  環気風向き、３０  排気通風路入口、３１  給気通風路、３２  環気通風路、３４  外気通風路、３５  排気通風路、３６  開口、３７  排気出口、３８  給気出口、３９  給気入口、４１、４３  ダクト接続フランジ、５１  熱交換器、５２  モータ、６１  仕切り部材、６２  ドレン皿、６３、６６  フィルター、６４、６５  フィルター保持枠、７１  排気用羽根、７２  給気用羽根、８１、８５  第１のシャッター、８３、８７  第２のシャッター、８９  シャッターカバー、９１、９１−１、９１−２  長穴、９３、９３−１、９３−２、９３−３、９３−４  凸部、９５  ネジ、１０１  引掛形状部材、１０１ａ、１０１ｂ  第１引掛形状部材、１０１ｃ  第２引掛形状部材、１０１ｄ  第４引掛形状部材、１０１ｅ、１０１ｆ  第３引掛形状部材、１０５、１０５ａ、１０５ｂ  弾性爪、１１１、１１１ａ、１１１ｂ  第１突起、１１５  輪状凸部、１１７、１１８  取っ手、１１９  溝、１２０  第２突起、１２１  第３突起、１３１  ストッパー用突起、１４１  破線領域、１５１  第１部材、１５２  第２部材、１５３  中間部材、１６１  第１可動空間、１６２  第２可動空間。
【図１】
2014149108.tif 000003
【図２】
2014149108.tif 000004
【図３】
2014149108.tif 000005
【図４】
2014149108.tif 000006
【図５】
2014149108.tif 000007
【図６】
2014149108.tif 000008
【図７】
2014149108.tif 000009
【図８】
2014149108.tif 000010
【図９】
2014149108.tif 000011
【図１０】
2014149108.tif 000012
【図１１】
2014149108.tif 000013
【図１２】
2014149108.tif 000014
【図１３】
2014149108.tif 000015
【図１４】
2014149108.tif 000016
【図１５】
2014149108.tif 000017
【図１６】
2014149108.tif 000018
【図１７】
2014149108.tif 000019
【図１８】
2014149108.tif 000020
【図１９】
2014149108.tif 000021
【図２０】
2014149108.tif 000022
【図２１】
2014149108.tif 000023
【図２２】
2014149108.tif 000024